(57)【要約】      （修正有）【課題】タブレットコンピュータ又はスマートフォンをロックして盗難を防止できるタブレット型電子機器のクランプを提供する。【解決手段】タブレット型電子機器のクランプは、ラッチカバー１０、隅部固定アセンブリ２０及び可動押圧レバー３０を備え、タブレット型電子機器２００をロックする。ラッチカバー１０は、机上面又は各種固定部材上にクランプを固定するためのロック孔６２を有する。隅部固定アセンブリ２０は、ラッチカバーに枢着されるとともに、互いに噛合する第１のホルダー２１及び第２のホルダー２２を有する。第１のホルダーには、第１の下ロック部２１１が設けられる。第２のホルダーには、第２の下ロック部２２１が設けられる。第１の下ロック部及び第２の下ロック部は、タブレット型電子機器の下部の２つの角部をそれぞれ係合する。【選択図】図１
0003221001.tif 000002
【実用新案登録請求の範囲】
【請求項１】
ラッチカバー、隅部固定アセンブリ及び可動押圧レバーを備えるとともに、タブレット型電子機器をロックする、タブレット型電子機器のクランプであって、
前記ラッチカバーは、ロック孔を有し、
前記隅部固定アセンブリは、前記ラッチカバーに枢着されるとともに、互いに噛合する第１のホルダー及び第２のホルダーを有し、前記第１のホルダーには、第１の下ロック部が設けられ、前記第２のホルダーには、第２の下ロック部が設けられ、前記第１の下ロック部及び前記第２の下ロック部は、前記タブレット型電子機器の下部の２つの角部をそれぞれ係合し、
前記可動押圧レバーは、前記ラッチカバーに挿設されるとともに上ロック部を有し、前記可動押圧レバーが移動され、前記上ロック部により前記タブレット型電子機器の上縁部を係合してロックすることを特徴とするタブレット型電子機器のクランプ。
【請求項２】
前記タブレット型電子機器の表面が接触される前記ラッチカバー、前記第１のホルダー、前記第２のホルダー及び前記可動押圧レバーの領域には、軟質パッドがそれぞれ設けられることを特徴とする請求項１に記載のタブレット型電子機器のクランプ。
【請求項３】
前記第１のホルダー及び前記第２のホルダーは、互いに噛合する歯車部をそれぞれ有することを特徴とする請求項１に記載のタブレット型電子機器のクランプ。
【請求項４】
前記第１のホルダー及び前記第２のホルダーは、伸縮ロッドであり、長さを固定する第１のホルダー押ボタン及び第２のホルダー押ボタンをそれぞれ有し、前記第１のホルダー押ボタン及び前記第２のホルダー押ボタンを特定の位置に保持する弾性部材を有することを特徴とする請求項１に記載のタブレット型電子機器のクランプ。
【請求項５】
弾性ストッパ及び可動押圧レバー押ボタンをさらに備え、
前記弾性ストッパは、前記ラッチカバー上に配設され、前記可動押圧レバーの移動を制限し、
前記可動押圧レバー押ボタンは、前記ラッチカバーに配設されるとともに、挿入孔を有し、
前記可動押圧レバー押ボタンは、前記挿入孔と前記ロック孔とが重ねられる第１の位置へ移動されるか、前記弾性ストッパによる前記可動押圧レバーの移動制限が解除される第２の位置へ移動されることを特徴とする請求項１に記載のタブレット型電子機器のクランプ。
【請求項６】
前記可動押圧レバーには、前記弾性ストッパが係合される複数の係合溝が縦向きに形成されていることを特徴とする請求項５に記載のタブレット型電子機器のクランプ。
【請求項７】
前記可動押圧レバー押ボタンは、前記ラッチカバー上に配設された弾性部材を押動し、前記挿入孔と前記ロック孔とが重ねられた第１の位置上に常態下で保持されることを特徴とする請求項５に記載のタブレット型電子機器のクランプ。
【請求項８】
前記クランプは、前記ラッチカバーに接続されたスタンドを有することを特徴とする請求項１に記載のタブレット型電子機器のクランプ。
【請求項９】
前記ラッチカバー上には、前記スタンドが接続される接続孔が形成されていることを特徴とする請求項８に記載のタブレット型電子機器のクランプ。
【請求項１０】
前記スタンドは、前記接続孔に挿着する方向転換継手を有することを特徴とする請求項９に記載のタブレット型電子機器のクランプ。
【考案の詳細な説明】
【技術分野】
【０００１】
本考案は、タブレットコンピュータ、スマートフォンなどのタブレット型電子機器に適用する、タブレット型電子機器のクランプに関する。
【背景技術】
【０００２】
高価なタブレット型電子機器（例えば、タブレットコンピュータ、スマートフォンなど）は、単価が高く、換金性も高いため、盗難に遭う危険性が高かった。
【０００３】
タブレット型電子機器が次第に薄型軽量になるに伴い、従来あった機能性差し込み孔の多くは、厚さによる制限を受けて設けることができなくなってきた。そのため、新しいタイプの機種には、ロック孔が設けられないことが多く、盗難防止の目的を達成するために、その他効果的な改善策又は解決策が求められていた。
【０００４】
そこで、本考案者は、前記の目的を達成するため鋭意検討を重ねた結果、タブレットコンピュータ、スマートフォンなどのタブレット型電子機器に適用でき、クランプを利用することにより盗難を防ぎ、前記課題を解決することができる点に着目し、かかる知見に基づいて、本考案の完成に想到するに至った。
【考案の概要】
【考案が解決しようとする課題】
【０００５】
本考案の目的は、タブレットコンピュータ又はスマートフォンをロックするロック孔が設けられたタブレット型電子機器のクランプを提供することにある。
【課題を解決するための手段】
【０００６】
上記課題を解決するために、本考案の第１の形態によれば、ラッチカバー、隅部固定アセンブリ及び可動押圧レバーを備えるとともに、タブレット型電子機器をロックする、タブレット型電子機器のクランプであって、前記ラッチカバーは、ロック孔を有し、前記隅部固定アセンブリは、前記ラッチカバーに枢着されるとともに、互いに噛合する第１のホルダー及び第２のホルダーを有し、前記第１のホルダーには、第１の下ロック部が設けられ、前記第２のホルダーには、第２の下ロック部が設けられ、前記第１の下ロック部及び前記第２の下ロック部は、前記タブレット型電子機器の下部の２つの角部をそれぞれ係合し、前記可動押圧レバーは、前記ラッチカバーに挿設されるとともに上ロック部を有し、前記可動押圧レバーが移動され、前記上ロック部により前記タブレット型電子機器の上縁部を係合してロックすることを特徴とするタブレット型電子機器のクランプが提供される。
【０００７】
前記タブレット型電子機器の表面が接触される前記ラッチカバー、前記第１のホルダー、前記第２のホルダー及び前記可動押圧レバーの領域には、軟質パッドがそれぞれ設けられることが好ましい。
【０００８】
前記第１のホルダー及び前記第２のホルダーは、互いに噛合する歯車部をそれぞれ有することが好ましい。
【０００９】
前記第１のホルダー及び前記第２のホルダーは、伸縮ロッドであり、長さを固定する第１のホルダー押ボタン及び第２のホルダー押ボタンをそれぞれ有し、前記第１のホルダー押ボタン及び前記第２のホルダー押ボタンを特定の位置に保持する弾性部材を有することが好ましい。
【００１０】
弾性ストッパ及び可動押圧レバー押ボタンをさらに備え、前記弾性ストッパは、前記ラッチカバー上に配設され、前記可動押圧レバーの移動を制限し、前記可動押圧レバー押ボタンは、前記ラッチカバーに配設されるとともに、挿入孔を有し、前記可動押圧レバー押ボタンは、前記挿入孔と前記ロック孔とが重ねられる第１の位置へ移動されるか、前記弾性ストッパによる前記可動押圧レバーの移動制限が解除される第２の位置へ移動されることが好ましい。
【００１１】
前記可動押圧レバーには、前記弾性ストッパが係合される複数の係合溝が縦向きに形成されていることが好ましい。
【００１２】
前記可動押圧レバー押ボタンは、前記ラッチカバー上に配設された弾性部材を押動し、前記挿入孔と前記ロック孔とが重ねられた第１の位置上に常態下で保持されることが好ましい。
【００１３】
前記クランプは、前記ラッチカバーに接続されたスタンドを有することが好ましい。
【００１４】
前記ラッチカバー上には、前記スタンドが接続される接続孔が形成されていることが好ましい。
【００１５】
前記スタンドは、前記接続孔に挿着する方向転換継手を有することが好ましい。
【考案の効果】
【００１６】
本考案のタブレット型電子機器のクランプは、タブレットコンピュータ又はスマートフォンをロックすることができる。
【図面の簡単な説明】
【００１７】
【図１】図１は、本考案の一実施形態に係るタブレット型電子機器のクランプをスタンドに結合してタブレット型電子機器を固定した状態を示す正面斜視図である。
【図２】図２は、本考案の一実施形態に係るタブレット型電子機器のクランプをスタンドに結合してタブレット型電子機器を固定した状態を示す背面斜視図である。
【図３】図３は、本考案の一実施形態に係るタブレット型電子機器のクランプを示す正面斜視図である。
【図４】図４は、本考案の一実施形態に係るタブレット型電子機器のクランプを示す背面斜視図である。
【図５】図５は、本考案の一実施形態に係るタブレット型電子機器のクランプを示す分解斜視図である。
【図６】図６は、本考案の一実施形態に係るタブレット型電子機器のクランプを示す部分断面図である。
【図７】図７は、本考案の一実施形態に係るタブレット型電子機器のクランプの一部構造及び動作を示す説明図である。
【図８Ａ】図８Ａは、本考案の一実施形態に係るタブレット型電子機器のクランプの一部構造を示し、可動押圧レバー押ボタンが差し込み口とロック孔とが重なる第１の位置にあるときの状態を示す正面図である。
【図８Ｂ】図８Ｂは、本考案の一実施形態に係るタブレット型電子機器のクランプの一部構造を示し、可動押圧レバー押ボタンが差し込み口とロック孔とが重なる第１の位置にあるときの状態を示す側面図である。
【図９Ａ】図９Ａは、本考案の一実施形態に係るタブレット型電子機器のクランプの一部構造を示し、可動押圧レバー押ボタンが、弾性ストッパによる可動押圧レバーの移動制限が解除される第２の位置へ移動されたときの状態を示す正面図である。
【図９Ｂ】図９Ｂは、本考案の一実施形態に係るタブレット型電子機器のクランプの一部構造を示し、可動押圧レバー押ボタンが、弾性ストッパによる可動押圧レバーの移動制限が解除される第２の位置へ移動されたときの状態を示す側面図である。
【図１０Ａ】図１０Ａは、本考案の一実施形態に係るタブレット型電子機器のクランプの使用状態の説明図（１）である。
【図１０Ｂ】図１０Ｂは、本考案の一実施形態に係るタブレット型電子機器のクランプの使用状態の説明図（２）である。
【考案を実施するための形態】
【００１８】
以下、本考案の目的、特徴及び効果をより分かりやすくするために、具体的な実施形態について図に基づいて詳しく説明する。
【００１９】
図１〜図５を参照する。図１〜図５に示すように、本考案の一実施形態に係るタブレット型電子機器のクランプは、タブレットコンピュータ、スマートフォンなどのタブレット型電子機器をロックすることができる。クランプ１００は、ロック孔１１を有するラッチカバー１０と、タブレット型電子機器２００を係合する隅部固定アセンブリ２０と、可動押圧レバー３０と、を含む。
【００２０】
上述した隅部固定アセンブリ２０は、ラッチカバー１０に枢着されるとともに、互いに噛合する第１のホルダー２１及び第２のホルダー２２を含む。第１のホルダー２１には、第１の下ロック部２１１が設けられ、第２のホルダー２２には、第２の下ロック部２２１が設けられ、第１の下ロック部２１１及び第２の下ロック部２２１は、タブレット型電子機器２００の下部の２つの角部をそれぞれ係合する。
【００２１】
本実施形態のタブレット型電子機器２００は、外観形状が矩形状又は多角形状である本体を含むがこれだけに限定されるわけではない上、本体の角部がＲ形状であっていいしＲ形状でなくてもよく、特に限定されるわけではない。
【００２２】
図５、図６及び図７を参照する。図５、図６及び図７に示すように、第１のホルダー２１及び第２のホルダー２２は、互いに噛合する歯車部２１２，２２２をそれぞれ有する。また、第１のホルダー２１及び第２のホルダー２２は、伸縮ロッドであり、長さを固定する第１のホルダー押ボタン２１３及び第２のホルダー押ボタン２２３をそれぞれ有し、第１のホルダー押ボタン２１３及び第２のホルダー押ボタン２２３を特定の位置に保持する位置決めされた弾性部材２１４，２２４を有する。
【００２３】
上述した可動押圧レバー３０は、ラッチカバー１０に挿設され、タブレット型電子機器２００の上縁部を係合する上ロック部３１を有する。
【００２４】
本実施形態において、ラッチカバー１０上には、可動押圧レバー３０の移動を制限する弾性ストッパ４０と、挿入孔５１を有する可動押圧レバー押ボタン５０と、が配設される。可動押圧レバー押ボタン５０は、挿入孔５１とロック孔１１とが重ねられる第１の位置へ移動されるか（図８Ａ及び図８Ｂを参照する）、弾性ストッパ４０による可動押圧レバー３０の移動制限が解除される第２の位置へ移動される（図９Ａ及び図９Ｂを参照する）。そのため、タブレット型電子機器２００をクランプ１００に固定してから、差し込み口ロック（図示せず）を介し、重ねた挿入孔５１及びロック孔１１上にロックすると、可動押圧レバー３０の位置が保持され、タブレット型電子機器２００をクランプ１００上にロックさせることができる。
【００２５】
可動押圧レバー３０には、弾性ストッパ４０を係合する複数の係合溝３２が縦向きに形成されている（図２を参照する）。可動押圧レバー押ボタン５０は、ラッチカバー１０上に配設された１つ又は複数の弾性部材５２を押動し、挿入孔５１とロック孔１１とが重ねられた第１の位置上に常態下で保持することができる。
【００２６】
図１及び図２を参照する。図１及び図２に示すように、クランプ１００は、ラッチカバー１０に接続されたスタンド６０を含む。ラッチカバー１０には、スタンド６０を接続するために用いる少なくとも１つの接続孔１２が形成されている。上述したスタンド６０は、接続孔１２に挿着する方向転換継手６１を有し、スタンド６０上で受けたラッチカバー１０により傾斜角度を調整することができる。また、スタンド６０には、机上面又は各種固定部材上にロックする複数のロック孔６２が形成されている。
【００２７】
タブレット型電子機器２００の表面に掻き傷が生じることを防ぐために、タブレット型電子機器２００の表面が接触されるラッチカバー１０、第１のホルダー２１、第２のホルダー２２及び可動押圧レバー３０の領域には、軟質パッド７０がそれぞれ設けられる。
【００２８】
図１０Ａ及び図１０Ｂを参照する。図１０Ａ及び図１０Ｂに示すように、クランプ１００には、様々な寸法のタブレット型電子機器２００が適用可能であり、実際に使用する場合、まず、タブレット型電子機器２００の下部の２つの隅部を第１の下ロック部２１１及び第２の下ロック部２２１に係合させてから、タブレット型電子機器２００の長さに応じて可動押圧レバー３０を調整し、可動押圧レバー３０をタブレット型電子機器２００の上縁部に強固に係合させる。
【００２９】
上述したことから分かるように、本考案のタブレット型電子機器のクランプは、タブレットコンピュータ、スマートフォンなどのタブレット型電子機器を係合させることができるクランプ１００であり、差し込み口ロックを介して固定部材上にロックすることができる。
【００３０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３１】
１０  ラッチカバー
１１  ロック孔
１２  接続孔
２０  隅部固定アセンブリ
２１  第１のホルダー
２２  第２のホルダー
３０  可動押圧レバー
３１  上ロック部
３２  係合溝
４０  弾性ストッパ
５０  可動押圧レバー押ボタン
５１  挿入孔
５２  弾性部材
６０  スタンド
６１  方向転換継手
６２  ロック孔
７０  軟質パッド
１００  クランプ
２００  タブレット型電子機器
２１１  第１の下ロック部
２１２  歯車部
２１３  第１のホルダー押ボタン
２１４  弾性部材
２２１  第２の下ロック部
２２２  歯車部
２２３  第２のホルダー押ボタン
２２４  弾性部材
【図１】
0003221001.tif 000003
【図２】
0003221001.tif 000004
【図３】
0003221001.tif 000005
【図４】
0003221001.tif 000006
【図５】
0003221001.tif 000007
【図６】
0003221001.tif 000008
【図７】
0003221001.tif 000009
【図８Ａ】
0003221001.tif 000010
【図８Ｂ】
0003221001.tif 000011
【図９Ａ】
0003221001.tif 000012
【図９Ｂ】
0003221001.tif 000013
【図１０Ａ】
0003221001.tif 000014
【図１０Ｂ】
0003221001.tif 000015